(57)【要約】【課題】各設備機器の機能を果たすように支持柱から設備機器を槍出して支持し、複数の設備機器の設置を実現する脇付設置用金物およびその設置方法を提供する。【解決手段】固定バンド１０により支持柱２に固定されるアルミニウム製の腕金固定金具２０と、腕金固定金具２０に片持ち状に支持される鋼管製の腕金３０と、腕金３０に固定されるとともに設備機器５１〜９１を保持するアルミニウム製の機器取付金具５０〜９０と、を備える脇付設置用金物１とした。そして、支持柱２に装柱されるライトを基準としたときに、支持柱２を回転軸として基準から所定の角度で回転させた状態で設置する脇付設置用金物１の設置方法とした。【選択図】図１
2015220902.tif 000002
【特許請求の範囲】
【請求項１】
固定バンドと、
一対の支持部を有し、アルミニウムまたはアルミニウム合金から形成される腕金固定金具と、
鋼管から形成される腕金と、
腕金固定金具と腕金とを固定するための取付部と、
アルミニウムまたはアルミニウム合金から形成される機器取付金具と、
を備え、支持柱に当接する一対の支持部に支持柱の外周を包囲する固定バンドが締結されて支持柱から所定距離にわたり離間する位置で支持柱に腕金固定金具が固定され、腕金固定金具により片持ち状に腕金が支持され、腕金に固定される機器取付金具により設備機器が保持されることを特徴とする脇付設置用金物。
【請求項２】
請求項１に記載の脇付設置用金物を設置するための方法であって、
支持柱を回転軸とし、支持柱に併設されるライトを基準として所定の角度で回転させた位置に前記脇付設置用金物を設置し、ライトと前記脇付設置用金物の前記設備機器とがともに干渉することなく下方に面することを特徴とする脇付設置用金物の設置方法。
【発明の詳細な説明】
【技術分野】
【０００１】
本発明は、電柱・電信柱や照明柱などの支持柱に片持ち状の腕金を介して設備機器を設置する脇付設置用金物およびその設置方法に関する。
【背景技術】
【０００２】
道路脇や鉄道線路脇にあって電線・ケーブル類が架設される電柱・電信柱や、あるいは、街路灯・道路照明灯・防犯灯・庭園灯などが設置される照明柱などの支持柱（以下、これらを総称して支持柱という）には、他の設備機器が設置されることもある。このような従来技術が、例えば、特許文献１（特開２００２−３１２８８７号公報）に開示されている。この特許文献１に開示されている情報提供装置は、配電線又は通信線等を支持する柱体に取り付けた配電線用腕金に撮像装置を設け、この撮像装置により情報を取得するというものである。
【先行技術文献】
【特許文献】
【０００３】
【特許文献１】特開２００２−３１２８８７号公報
【発明の概要】
【発明が解決しようとする課題】
【０００４】
支持柱のうち電柱や電信柱に他の設備機器を設置する場合、一般的に電柱や電信柱の高さ５ｍ〜５．５ｍの間の一般ポイントと呼ばれる箇所に設備機器を装柱することが規定されている（図４参照）。例えば、この一般ポイントにライトなどが設置される。
【０００５】
特許文献１の先行技術でライトを設置すると仮定した場合、配電線用腕金の下側にライトが位置することが想定され、ライトが邪魔になって必要な画像情報を取得できないおそれがある。このように支持柱に対して複数の設備機器を設置することは容易ではないという問題があった。
【０００６】
加えて、一般ポイントの制約を満たしつつ支持柱に多数の設備機器を設置したいという要請もあり、可能な限り軽量化して設置したいという事情もあった。
【０００７】
そこで、本発明は上記した問題に鑑みてなされたものであり、その目的は、各設備機器の機能を果たすように支持柱から設備機器を槍出して支持し、複数の設備機器の設置を実現する脇付設置用金物およびその設置方法を提供することにある。
【課題を解決するための手段】
【０００８】
上記課題を解決するため、請求項１に係る発明は、
固定バンドと、
一対の支持部を有し、アルミニウムまたはアルミニウム合金から形成される腕金固定金具と、
鋼管から形成される腕金と、
腕金固定金具と腕金とを固定するための取付部と、
アルミニウムまたはアルミニウム合金から形成される機器取付金具と、
を備え、支持柱に当接する一対の支持部に支持柱の外周を包囲する固定バンドが締結されて支持柱から所定距離にわたり離間する位置で支持柱に腕金固定金具が固定され、腕金固定金具により片持ち状に腕金が支持され、腕金に固定される機器取付金具により設備機器が保持されることを特徴とする脇付設置用金物とした。
【０００９】
また、請求項２に係る発明は、
請求項１に記載の脇付設置用金物を設置するための方法であって、
支持柱を回転軸とし、支持柱に併設されるライトを基準として所定の角度で回転させた位置に前記脇付設置用金物を設置し、ライトと前記脇付設置用金物の前記設備機器とがともに干渉することなく下方に面することを特徴とする脇付設置用金物の設置方法とした。
【発明の効果】
【００１０】
本発明によれば、各設備機器の機能を果たすように支持柱から設備機器を槍出して支持し、複数の設備機器の設置を実現する脇付設置用金物およびその設置方法を提供することができる。
【図面の簡単な説明】
【００１１】
【図１】本発明を実施するための形態の脇付設置用金物の平面図である。
【図２】本発明を実施するための形態の脇付設置用金物をＡ方向から視たときの正面図である。
【図３】本発明を実施するための形態の脇付設置用金物の透視説明図であり、図３（ａ）は平面から視た透視構造図、図３（ｂ）はＢ方向から視た鏡像の透視構造図、図３（ｃ）は左側面から視た透視構造図、図３（ｄ）は右側面から視た透視構造図である。
【図４】本発明を実施するための形態の脇付設置用金物の設置方法の説明図である。
【図５】本発明を実施するための形態の脇付設置用金物の設置方法の説明図である。
【発明を実施するための形態】
【００１２】
続いて、本発明を実施するための形態について図１，図２，図３を参照しつつ説明する。なお、図２は、脇付設置用金物１をＡ方向（図１参照）から視たときの正面図である。また、図３（ｂ）は、脇付設置用金物１をＢ方向（図３（ａ）参照）から視たときの鏡像の透視構造図である。この図３は、構造を理解するための補助的な図面である。
【００１３】
この脇付設置用金物１は、図１，図２，図３で示すように、固定バンド１０、腕金固定金具２０、腕金３０、取付部４０、機器取付金具５０，６０，７０，８０，９０をそれぞれ備える。
【００１４】
固定バンド１０は、図１，図２で示すように、さらにバンド本体１１、一対の固定片１２，１２、複数の留めねじ１３を備える。固定バンド１０は、支持柱２に腕金固定金具２０を固定する機能を有する。
【００１５】
バンド本体１１は、支持柱２の外周を包囲する円弧状のバンドである。
一対の固定片１２，１２は、バンド本体１１の両端部に取り付けられる部材である。
複数（本形態では２本）の留めねじ１３は、バンド本体１１の長さを決定する。また、固定バンド１０が支持柱２に対して回らないように複数の留めねじ１３の先端が支持柱２と接触するように固定する機能を持たせても良い。
【００１６】
腕金固定金具２０は、図１，図２で示すように、さらに金具本体２１、一対の支持部２２，２２、一対の締結部２３，２３を備える。腕金固定金具２０は、腕金３０を少し上側に傾斜させつつ片持ち状に支持する機能を有している。
【００１７】
金具本体２１は、アルミニウムまたはアルミニウム合金（例えば、いわゆるジュラルミン、超ジュラルミン、超々ジュラルミンなどのような軽量の合金）により形成されており、側面から視て略コ字状の部材（図３（ｃ）を参照）であり、堅牢な構造体である。
【００１８】
一対の支持部２２，２２は、特に図１で示すように、鉄等の板材を平面視三角状に折り曲げ形成したものであり、金具本体２１から突出して支持柱２に当接するようになされている。
【００１９】
締結部２３は、ボルトとナットとを有するものであり、一対の締結部２３，２３は、ボルト頭部の座面が支持部２２，２２に当接するようにボルトを一対の固定片１２，１２に装通させ、このボルトをナットで締結することで、固定バンド１０の一対の固定片１２，１２と、一対の支持部２２，２２と、を固定する。
【００２０】
固定バンド１０が支持柱２の外周を半周以上密着しつつ、一対の支持部１２，１２も支持柱２に強固に当接する。この固定バンド１０により腕金固定金具２０が支持柱２に強固に固定される。また、複数の留めねじ１３が支持柱２に当接し、回り留めがなされるようにしても良い。これにより脇付設置用金物１が風などでは回転しないようにしている。
【００２１】
腕金３０は、比較的軽量な鋼管により形成され、腕金固定金具２０により片持ち状に支持されている（図１，図２，図３（ａ），（ｂ）参照）。腕金３０は、例えば、一般構造用角形鋼管である。この腕金３０は、少し上側に傾斜しつつ片持ち状に支持される。
【００２２】
取付部４０は、腕金固定金具２１に対して腕金３０を取り付け固定する（図１，図２，図３（ａ），（ｂ）参照）。本形態ではボルト・ナットによる締結体を採用しているが、他の取り付け部（例えば溶接による固着など）を採用することができる。
【００２３】
機器取付金具５０，６０，７０，８０，９０は、軽量化のためアルミニウムまたはアルミニウム合金により形成され、腕金３０に固定されるとともにそれぞれが設備機器５１，６１，７１，８１，９１を保持する機能を有している。設備機器５１，６１，７１，８１，９１は、具体的には通信関連設備機器である。
【００２４】
機器取付金具５０は、アルミニウムまたはアルミニウム合金から形成され、図１，図２にも示すように、設備機器５１を固定保持する。設備機器５１は、具体的にはピコセル基地局である。
機器取付金具６０は、アルミニウムまたはアルミニウム合金から形成され、図１にも示すように、設備機器６１を固定保持する。設備機器６１は、具体的にはピコ平面アンテナである。
【００２５】
ピコセル基地局は、主に、移動体通信（携帯電話やスマートフォン）で補助的に使われている基地局の方式である。移動体通信は、街中に設置されたアンテナまで電波を飛ばし、アンテナから電話局、電話局から相手が接続しているアンテナまでは光ファイバーなどの電話回線網を使っている。アンテナは電波によるデータを送受信する設備とセットであり、この装置を基地局と呼ぶ。そして、一つの基地局から電波が届く範囲をセルという。
【００２６】
移動体通信ではひとつの基地局がカバーするセルは、通常では半径数百メートルから数キロメートルと広いエリアをカバーする大きいマクロセルである。しかし、主に屋外に設置してきたため、大きな建物の陰や山間部、地下街、ビルの中などは電波が届きにくい箇所が生じていた。
【００２７】
そこで、これら電波の届きにくい半径数メートルから数十メートルのエリアをピコセルとし、小型のピコセル基地局がピコ平面アンテナを通じて送受信を行ってこれらエリアをカバーする。屋外の支持柱２に設置して適切に通信エリアを設定する。このような設備機器とすることができる。
【００２８】
機器取付金具７０は、アルミニウムまたはアルミニウム合金から形成され、図１，図２にも示すように、設備機器７１を固定保持する。設備機器７１は、具体的にはＧＰＳアンテナである。ＧＰＳアンテナを通じて位置、時間などの情報を取得する。
【００２９】
機器取付金具８０は、アルミニウムまたはアルミニウム合金から形成され、図１，図２にも示すように、設備機器８１を固定保持する。設備機器８１は、具体的にはＷｉ−ｆｉ無線機である。Ｗｉ−ｆｉ無線機は、無線ＬＡＮの一種であり、インターネット等の接続を可能とする。このＷｉーｆｉ無線機は特に電波干渉の排除やセキュリティ向上する機能を有している。
【００３０】
機器取付金具９０は、アルミニウムまたはアルミニウム合金から形成され、図１，図２にも示すように、設備機器９１を固定保持する。設備機器９１は各種無線機である。
【００３１】
また、図示しないが、他の設備機器としてピコオムニアンテナを固定保持する機器取付金具を設置しても良い。ピコオムニアンテナは、アンテナの指向性（方向性を示す特性）が無指向性のアンテナであり、多方面の方向にも同じレベルの感度を示す。先に説明したピコ平面アンテナに代えて、または併用して設置することができる。
【００３２】
また、設備機器として、各種のセンサ（温湿度・ガス濃度・風速等を検出する環境センサや交通量を測定するセンサなど）やスピーカ、カメラ、マイクなどを各種採用することができる。これら設備機器が腕金により槍出し状態で固定される。これにより所望の情報の提供や取得を可能とする。
【００３３】
続いて、本発明の脇付設置用金物の設置方法について説明する。図４，図５で示すように、ライト３が、支持柱２のうち高さ５ｍ以上５．５ｍ以下の一般ポイント内にて予め装柱されている場合を想定する。脇付設置用金物１は、図４で示すように、支持柱２の一般ポイント内にて装柱される。
【００３４】
この装柱に際し、ライト３の照明光を下側へ到達させるため、ライト３の下側に脇付設置用金物１が位置しないように装柱する必要がある。そこで、図５で示すように、脇付設置用金物１を、支持柱２を回転軸として、ライト３を基準としたときの基準線と脇付設置用金物１からの延長線との交差角が所定角度（図５でα°）となるように回転させた位置まで傾斜させる。
【００３５】
このような設置方法を採用することで、ライト３の光線が下側まで到達するのはもちろんのこと、脇付設置用金物が搭載する設備機器の上下を遮るものもないため、上側にあるＧＰＳ衛星との情報通信や下側にある端末との情報通信が確実になるという利点がある。また、腕金固定金具２０が支持柱２から離間した位置にあるため、僅かな傾斜でも設備機器５１，６１，７１，８１，９１をライト３の下側から十分に離して位置させることができる。
【００３６】
以上、本発明について説明した。本発明の脇付設置用金物や機器取付金具は、アルミニウムまたはアルミニウム合金により形成し、また、腕金を中空の鋼管により形成して軽量化を図ったため、複数の設備機器の搭載も可能としている。また、本発明は、コンクリート柱や鋼管柱などの支持柱の何れにも適用できる。
【産業上の利用可能性】
【００３７】
本発明の脇付設置用金物は、特に通信機器の敷設用途に好適である。また、本発明の脇付設置用金物の設置方法は、他の設備の機能（例えばライトの照明）に影響を与えることなく設置する方法であり、一の支持柱に対して照明や通信という複数種類の設備機器を設置する用途に好適である。
【符号の説明】
【００３８】
１：脇付設置用金物
１０：固定バンド
１１：バンド本体
１２：固定片
１３：留めねじ
２０：腕金固定金具
２１：金具本体
２２：支持部
２３：締結部
３０：腕金
４０：取付部
５０，６０，７０，８０，９０；機器取付金具
５１，６１，７１，８１，９１：設備機器
２：支持柱
３：ライト
【図１】
2015220902.tif 000003
【図２】
2015220902.tif 000004
【図３】
2015220902.tif 000005
【図４】
2015220902.tif 000006
【図５】
2015220902.tif 000007